(57)【要約】      （修正有）【課題】アーマチュアと電磁石との当接部に液状異物が介在しても、電磁石の吸着力に抗する付勢手段の付勢力を強くせずに、アーマチュアを電磁石から離脱させることができるガス電磁弁を提供する。【解決手段】ガス電磁弁において、アーマチュア３の電磁石４に対する当接面３ａと、電磁石４のアーマチュア３に対する当接面４ａとの少なくとも一方に非粘着処理を施す。【選択図】図１
2020150047.tif 000002
【特許請求の範囲】
【請求項１】
ガス流路に介設されるガス電磁弁であって、弁筐内の弁座に対向する弁体と、弁体に弁軸を介して連結されるアーマチュアと、アーマチュアに対向するように配置され、アーマチュアを吸着することで弁体を弁座から離れた開弁位置又は弁座に着座する閉弁位置に保持する電磁石と、弁体を電磁石からアーマチュアが離れる方向に付勢する付勢手段とを備えるものにおいて、
アーマチュアの電磁石に対する当接面と、電磁石のアーマチュアに対する当接面との少なくとも一方に非粘着処理が施されていることを特徴とするガス電磁弁。
【発明の詳細な説明】
【技術分野】
【０００１】
本発明は、ガスコンロ等のガス器具のガス流路に介設されるガス電磁弁に関する。
【背景技術】
【０００２】
従来、この種のガス電磁弁は、弁筐内の弁座に対向する弁体と、弁体に弁軸を介して連結されるアーマチュアと、アーマチュアに対向するように配置され、アーマチュアを吸着することで弁体を弁座から離れた開弁位置又は弁座に着座する閉弁位置に保持する電磁石と、弁体を電磁石からアーマチュアが離れる方向に付勢する付勢手段とを備えている（例えば、特許文献１参照）。
【０００３】
ところで、アーマチュアが電磁石に吸着されたときのアーマチュアと電磁石との当接部に、ガスに何らかの原因で混入した液状の異物が介在すると、アーマチュアが電磁石に貼り付いて、電磁石の励磁を解除してもアーマチュアが容易には電磁石から離脱しなくなる。そのため、付勢手段の付勢力を強くし、電磁石の励磁解除でアーマチュアを電磁石から離脱させる必要がある。その結果、アーマチュアを付勢手段の付勢力に抗して電磁石に吸着保持するのに必要な電力が増加し、省電力化を図ることが困難になっている。
【先行技術文献】
【特許文献】
【０００４】
【特許文献１】特開２０１３−３６５５９号公報
【発明の概要】
【発明が解決しようとする課題】
【０００５】
本発明は、以上の点に鑑み、アーマチュアと電磁石との当接部に液状異物が介在しても、付勢手段の付勢力を強くせずに、電磁石の励磁解除でアーマチュアを電磁石から離脱させることができるようにしたガス電磁弁を提供することをその課題としている。
【課題を解決するための手段】
【０００６】
上記課題を解決するために、本発明は、ガス流路に介設されるガス電磁弁であって、弁筐内の弁座に対向する弁体と、弁体に弁軸を介して連結されるアーマチュアと、アーマチュアに対向するように配置され、アーマチュアを吸着することで弁体を弁座から離れた開弁位置又は弁座に着座する閉弁位置に保持する電磁石と、弁体を電磁石からアーマチュアが離れる方向に付勢する付勢手段とを備えるものにおいて、アーマチュアの電磁石に対する当接面と、電磁石のアーマチュアに対する当接面との少なくとも一方に非粘着処理が施されていることを特徴とする。
【０００７】
本発明によれば、アーマチュアと電磁石との当接部に液状異物が介在しても、非粘着処理によりアーマチュアの電磁石に対する貼り付き力を弱くすることができる。そのため、付勢手段の付勢力を強くせずに、電磁石の励磁解除でアーマチュアを電磁石から離脱させることができる。従って、アーマチュアを付勢手段の付勢力に抗して電磁石に吸着保持するのに必要な電力が減少し、省電力化を図ることができる。
【図面の簡単な説明】
【０００８】
【図１】（ａ）本発明の第１実施形態のガス電磁弁の切断側面図、（ｂ）第１実施形態のガス電磁弁の電磁石を励磁した状態の切断側面図。
【図２】（ａ）本発明の第２実施形態のガス電磁弁の切断側面図、（ｂ）第２実施形態のガス電磁弁の電磁石を励磁した状態の切断側面図。
【発明を実施するための形態】
【０００９】
図１を参照して、本発明の第１実施形態のガス電磁弁は常閉型であって、ガス流入口１１とガス流出口１２とを有する弁筐１内に設けられた弁座１３に対向する弁体２と、弁体２に弁軸２１を介して連結されたアーマチュア３と、アーマチュア３に対向するように配置され、アーマチュア３を吸着することで弁体２を弁座１３から離れた開弁位置に保持する電磁石４と、弁体２を電磁石４からアーマチュア３が離れる方向に付勢する付勢手段５とを備えている。
【００１０】
電磁石４は、中心の円柱状のコア４１と、コア４１の周囲にボビン４２ａを介して巻回配置した電磁コイル４２と、コア４１の弁筐１側の端部がＯリング４３ａを介して嵌合する中心孔を有し、弁筐１の端面に非磁性体から成るシールプレート４３ｂを介して締結される板状のフレーム４３とで構成される。そして、電磁コイル４２への通電で電磁石４を励磁すると、図１（ｂ）に示す如く、アーマチュア３がコア４１の一端とフレーム４３との両者に跨るようにして吸着される。
【００１１】
付勢手段５は、アーマチュア３の外周面の弁体２側の端部に形成した突起部３１とフレーム４３との間に介設したコイルバネで構成されている。
【００１２】
ここで、アーマチュア３が電磁石４に吸着されたときのアーマチュア３と電磁石４との当接部に、ガスに何らかの原因で混入した液状の異物が介在すると、アーマチュア３が電磁石４に貼り付いて、電磁石４の励磁を解除してもアーマチュア３が容易には電磁石４から離脱しなくなる。
【００１３】
そこで、本実施形態では、アーマチュア３の電磁石４に対する当接面３ａ（アーマチュア３の図１で上端面）と、電磁石４のアーマチュア３に対する当接面４ａ（シールプレート４３ｂの下面）との少なくとも一方に非粘着処理を施している。尚、非粘着処理とは、化学的又は物理的な撥水撥油特性を有する表面処理をいい、コーティングや機械研磨・レーザ加工等も含む。
【００１４】
これによれば、アーマチュア３と電磁石４との当接部に液状異物が介在しても、非粘着処理によりアーマチュア３の電磁石４に対する貼り付き力を弱くすることができる。そのため、付勢手段５の付勢力を強くせずに、電磁石４の励磁解除でアーマチュア３を電磁石４から離脱させることができる。従って、アーマチュア３を付勢手段４の付勢力に抗して電磁石４に吸着保持するのに必要な電力が減少し、省電力化を図ることができる。
【００１５】
次に、図２に示す本発明の第２実施形態のガス電磁弁について説明する。第２実施形態のガス電磁弁は、安全弁として用いられるものであり、ガス流入口１１とガス流出口１２とを有する弁筐１内に設けられた弁座１３の軸方向一方に対向する弁体２と、弁体２に軸方向一方にのびる弁軸２１を介して連結されたアーマチュア３と、アーマチュア３の軸方向一方に対向するように配置され、アーマチュア３を吸着することで弁体２を弁座１３から離れた開弁位置に保持する電磁石４と、弁体２を電磁石４からアーマチュア３が離れる方向（軸方向他方）に付勢する付勢手段５とを備えている。電磁石４は、一対のコア４１，４１と、一方のコア４１に外装した電磁コイル４２とで構成されている。
【００１６】
弁座１３は、アルミダイキャスト製の弁筐１内に内挿される樹脂製の内ケース１４に形成されている。また、弁筐１内の軸方向他方の端部近傍には、ガス流出口１２の上流側の元弁用弁座１５が設けられている。そして、弁筐１内に、軸方向他方の端部から挿入される操作ロッド６を設け、この操作ロッド６に、元弁用弁座１５の軸方向一方に対向する元弁用弁体７を固定し、更に、操作ロッド６を戻しバネ６１により元弁用弁体７を介して軸方向他方に付勢している。
【００１７】
操作ロッド６は、点火操作時に軸方向一方に押動操作される。そして、この押動操作により、元弁用弁体７が元弁用弁座１５から離間して元弁が開弁すると共に、操作ロッド６がガス電磁弁の弁体２に当接して、弁体２をアーマチュア３が電磁石４に当接する開弁位置まで押動させる。この状態で電磁コイル４２に通電して電磁石４を励磁し、アーマチュア３を一対のコア４１，４１に跨るようにして吸着し、弁体２を開弁位置に保持する。その後、操作ロッド６を、弁体２に対する押圧は解除するが、元弁は開弁状態に維持される図２（ｂ）に示す位置まで復動させ、この状態に待機させる。バーナが失火したときは、電磁コイル４２への通電を停止し、電磁石４に対するアーマチュア３の吸着を解除して、弁体２を付勢手段５の付勢力で弁座１３に着座する閉弁位置に復帰させる。
【００１８】
第２実施形態のものでも、アーマチュア３の電磁石４に対する当接面３ａ（アーマチュア３の図２で右端面）と、電磁石４のアーマチュア３に対する当接面４ａ（各コア４１，４１の図２で左端面）との少なくとも一方に非粘着処理を施している。これによれば、上記第１実施形態のものと同様に、アーマチュア３と電磁石４との当接部に液状異物が介在しても、アーマチュア３の電磁石４に対する貼り付き力を弱くすることができる。そのため、付勢手段５の付勢力を強くせずに、電磁石４の励磁解除でアーマチュア３を電磁石４から離脱させることができる。従って、アーマチュア３を付勢手段５の付勢力に抗して電磁石４に吸着保持するのに必要な電力が減少し、省電力化を図ることができる。
【００１９】
以上、本発明の実施形態について図面を参照して説明したが、本発明はこれに限定されない。例えば、上記第１実施形態と第２実施形態のガス電磁弁は、何れもアーマチュア３を電磁石４に吸着することで弁体２を弁座１３から離れた開弁位置に保持する常閉型の弁であるが、アーマチュアを電磁石に吸着することで弁体を弁座に着座する閉弁位置に保持する常開型の弁にも同様に本発明を適用できる。また、電磁石をモータにより進退自在とし、弁体が閉弁位置に存する状態で電磁石を前進させてアーマチュアに当接させ、電磁石の励磁でアーマチュアを吸着した状態で電磁石を後退させて、弁体を付勢手段に抗して開弁位置に移動保持する、所謂モータ安全弁のようなガス電磁弁にも同様に本発明を適用できる。
【符号の説明】
【００２０】
１…弁筐、１３…弁座、２…弁体、２１…弁軸、３…アーマチュア、３ａ…アーマチュアの電磁石に対する当接面、４…電磁石、４ａ…電磁石のアーマチュアに対する当接面、５…付勢手段。
【図１】
2020150047.tif 000003
【図２】
2020150047.tif 000004